【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
方法であって、
コンピューティングデバイスによって、第１の画像から第２の画像への動きを決定することと、
前記コンピューティングデバイスによって、遅延値を決定することと、
前記コンピューティングデバイスによって、正確値を決定することと、
前記コンピューティングデバイスによって、不確実性要素を、前記動きと前記遅延値と前記正確値とに基づいて生成することであって、前記不確定性要素は、変換された動きベクトルに基づいて生成される、ことと、
前記コンピューティングデバイスによって、前記不確実性要素を表現することを生じさせることと
を含む、方法。
【請求項２】
前記動きは、動き推定アルゴリズムから決定される、請求項１に記載の方法。
【請求項３】
前記動きは、ブロックマッチングアルゴリズムから決定される、請求項１に記載の方法。
【請求項４】
前記第１の画像は、現行フレームであり、前記第２の画像は、一連の画像中の先行フレームである、請求項１に記載の方法。
【請求項５】
前記現行フレームから前記先行フレームへと向けられた動きベクトル生成することをさらに含む、請求項４に記載の方法。
【請求項６】
前記動きベクトルは、前記決定された動きに基づいて生成される、請求項５に記載の方法。
【請求項７】
前記不確実性要素は、インジケータである、請求項１に記載の方法。
【請求項８】
前記不確実性要素は、前記正確値と前記ベクトルの向きが逆のベクトルとを乗算することによって生成される、請求項１に記載の方法。
【請求項９】
前記不確実性要素は、前記ベクトルと前記ベクトルの逆ベクトルとのうちの１つ以上から映し出す不確実性領域を含む、請求項１に記載の方法。
【請求項１０】
前記不確実性領域のサイズは、前記ベクトルの大きさに比例する、請求項９に記載の方法。
【請求項１１】
前記不確実性要素を表現することは、不確実性領域を表現することを含む、請求項１に記載の方法。
【請求項１２】
前記不確実性領域は、ぼかしと薄像と着色とのうちの１つ以上として表現される、請求項１１に記載の方法。
【請求項１３】
前記不確実性領域のサイズは、前記遅延値に基づく、請求項１１に記載の方法。
【請求項１４】
前記不確実性領域のサイズは、前記正確値に比例する、請求項１１に記載の方法。
【請求項１５】
前記遅延値は、局所的遅延とネットワーク遅延とジッターとのうちの１つ以上に基づいて決定される、請求項１に記載の方法。
【請求項１６】
前記正確値は、許容できる誤差を含む、請求項１に記載の方法。
【請求項１７】
方法であって、
コンピューティングデバイスによって、遅延値を決定することと、
前記コンピューティングデバイスによって、前記遅延値に基づいて、第１の画像に対する遅延オフセットを決定することと、
前記コンピューティングデバイスによって、前記第１の画像からの前記遅延オフセットに基づいて、第２の画像を配置することと、
前記コンピューティングデバイスによって、前記第１の画像に重なる、動きの薄像を生成することと
を含み、
前記動きの薄像は、少なくとも前記第２の画像の一部を含み、前記動きの薄像は、前記第１の画像の不透明度とは異なる不透明度を有する、方法。
【請求項１８】
前記第１の画像は、現行フレームであり、前記第２の画像は、一連の画像中の先行フレームである、請求項１７に記載の方法。
【請求項１９】
前記遅延値は、ネットワーク遅延と局所的遅延とのうちの１つ以上に基づいて決定される、請求項１７に記載の方法。
【請求項２０】
前記遅延オフセットは、前記遅延値をフレームレートで乗算することによって決定される、請求項１７に記載の方法。
【請求項２１】
前記第２の画像は、前記遅延オフセットを前記第１の画像のフレーム識別子から減算することによって配置される、請求項１７に記載の方法。
【請求項２２】
方法であって、
コンピューティングデバイスによって、第１のフレームから第２のフレームへの動きを決定することと、
前記コンピューティングデバイスによって、決定された動きに基づいて、不確実性因子を決定することと、
前記コンピューティングデバイスによって、前記不確実性因子に基づいて、不確実性要素を生成することと、
前記コンピューティングデバイスによって、前記第１のフレームの一部に重なるように前記不確定性要素がグラフィック的に表現されることを生じさせることと
を含み、
前記不確定要素は、前記第１のフレームの不透明度とは異なる不透明度を有する、方法。
【請求項２３】
前記不確実性因子は、動きベクトルを含む、請求項２２に記載の方法。
【請求項２４】
前記不確実性因子は、変換された動きベクトルを含む、請求項２２に記載の方法。
【手続補正２】
【補正対象書類名】明細書
【補正対象項目名】０００７
【補正方法】変更
【補正の内容】
【０００７】
追加的利点が、後に続く説明において部分的に記載され、又は、実践により学習されるであろう。そのような利点は、添付の発明の概念において特に指摘される要素及び組み合わせによって、実現且つ達成されるであろう。前述の大まかな説明及び後述の詳細な説明は、ともに例示的でありかつ説明目的のものであるにすぎないと理解すべきであり、制限的なものとみなすべきではない。
本願明細書は、例えば、以下の項目も提供する。
（項目１）
第１画像から第２画像への動きを決定することと、遅延値を決定することと、
正確値を決定することと、
不確実性要素を、前記動きと前記遅延値と前記正確値とに基づいて生成することと、
前記不確実性要素を表現することと、を含む方法。
（項目２）
前記動きは、動き推定アルゴリズムから決定される、項目１の方法。
（項目３）
前記動きは、ブロックマッチングアルゴリズムから決定される、項目１の方法。
（項目４）
前記第１画像は現行フレームであり、前記第２画像は一連の画像中の先行フレームである、項目１の方法。
（項目５）
前記現行フレームから前記先行フレームへ向かう動きベクトル生成することをさらに含む、項目４の方法。
（項目６）
前記動きベクトルは前記決定された動きに基づいて生成される、項目５の方法。
（項目７）
前記不確実性要素は、インジケータである、項目１の方法。
（項目８）
前記不確実性要素は、変換された動きベクトルに基づいて生成される、項目１の方法。
（項目９）
前記不確実性要素は、前記正確値と前記ベクトルの向きを反転させたベクトルとを乗算して生成される、項目８の方法。
（項目１０）
前記不確実性要素は、前記ベクトルと前記ベクトルの反転とのうちの１つ以上から推定する不確実性領域を含む、項目８の方法。
（項目１１）
前記不確実性領域のサイズは、前記ベクトルの大きさに比例する、項目８の方法。
（項目１２）
前記不確実性要素を表現することは、不確実性領域を表現することを含む、項目１の方法。
（項目１３）
前記不確実性領域は、ぼかしと薄像と着色とのうちの１つ以上として表現される、項目１４の方法。
（項目１４）
前記不確実性領域のサイズは前記遅延値に基づく、項目１４の方法。
（項目１５）
前記不確実性領域のサイズは前記正確値に比例する、項目１４の方法。
（項目１６）
前記遅延値は、局所的遅延とネットワーク遅延とジッターとのうちの１つ以上に基づいて決定される、項目１の方法。
（項目１７）
前記正確値は許容できる誤差を含む、項目１の方法。
（項目１８）
遅延値を決定することと、
前記遅延値に基づいて、第１画像に対する遅延オフセットを決定することと、前記第１フレームからの前記遅延オフセットに基づいて、第２画像を配置することと、前記第１フレームに重なる、動きの薄像を生成することと、を含み、前記動きの薄像は、前記第２フレームの一部を含んでいる方法。
（項目１９）
前記第１画像は現行フレームであり、前記第２画像は一連の画像中の先行フレームである、項目１８の方法。
（項目２０）
前記遅延値は、ネットワーク遅延と局所的遅延とのうちの１つ以上に基づいて決定される、項目１８の方法。
（項目２１）
前記遅延オフセットは、前記遅延値をフレームレートで乗算して決定される、項目１８の方法。
（項目２２）
前記第２フレームは、前記遅延オフセットを前記第１フレームのフレーム識別子から減算して配置される、項目１８の方法。
（項目２３）
前記動きの薄像は、前記第１フレームの不透明度とは異なる不透明度を有する、項目１８の方法。
（項目２４）
第１フレームから第２フレームへの動きを決定することと、決定された動きに基づいて、不確実性因子を決定することと、前記不確実性因子に基づいて、不確実性要素を生成することと、を含む方法。